(57)【特許請求の範囲】
【請求項１】
バッグ状の形態又は管状の形態を有するパッケージを閉鎖するための閉鎖ストラップであって、特にソーセージ状のパッケージを閉鎖するための閉鎖ストラップにおいて、
ストラップ体（Ｂ）を備えており、前記ストラップ体（Ｂ）は、第１の端部（１２）及び第２の端部（１３）を有する細長いストリップ部分（１０）と、第１の端部（２２）及び第２の端部（２４）並びに挿入チャンネル（４０）を有する挿入部分（２０）とを含んでおり、
前記挿入部分（２０）の前記第２の端部（２４）は、前記ストリップ部分（１０）の前記第１の端部（１２）と接続されており、
前記ストリップ部分（１０）の前記第２の端部（１４）は、挿入方向（Ａ）において前記挿入部分（２０）の前記挿入チャンネル（４０）内に挿入されるための挿入端部を形成し、
前記ストリップ部分（１０）の前記第２の端部（１４）又は挿入端部（１４）と前記挿入チャンネル（４０）とは、互いに対応する略丸い断面を有する、閉鎖ストラップにおいて、
前記挿入チャンネル（４０）は出口開口部（４４）で終端しており、前記出口開口部（４４）は、前記挿入部分（２０）の前記第２の端部（２４）で配置され、前記閉鎖ストラップ（１）の内側表面に向けられることを特徴とする、閉鎖ストラップ。
【請求項２】
前記挿入部分（２０）の前記第２の端部（２４）は、湾曲部分（３０）によって前記ストリップ部分（１０）の前記第１の端部（１２）に接続されることを特徴とする、請求項１に記載の閉鎖ストラップ。
【請求項３】
前記挿入チャンネル（４０）は、前記挿入端部（２０）の前記第１の端部（２２）と前記挿入端部（２０）の前記第２の端部（２４）との間に延在することを特徴とする、請求項１又は２に記載の閉鎖ストラップ。
【請求項４】
前記挿入部分（２０）は、その第１の端部（２２）に位置付けられた第１の表面（２２）を含むことを特徴とする、請求項１〜３のいずれか一項に記載の閉鎖ストラップ。
【請求項５】
前記挿入チャンネル（４０）の第１の端部（４２）は、前記挿入端部（２０）の前記第１の表面（２２）と一致することを特徴とする、請求項４に記載の閉鎖ストラップ。
【請求項６】
前記ストリップ部分（１０）の前記挿入端部（１４）は、前記湾曲部分（３０）の前記内半径（３２）と噛み合う外半径（１４ａ）を有することを特徴とする、請求項２〜５のいずれか一項に記載の閉鎖ストラップ。
【請求項７】
前記ストリップ部分（１０）は少なくとも、前記挿入端部の領域においてその外側表面に複数のノッチ（１６）を備えることを特徴とする、請求項１〜６のいずれか一項に記載の閉鎖ストラップ。
【請求項８】
複数のカウンターノッチ（２６）は、前記挿入チャンネル（４０）の前記内側表面に設けられることを特徴とする、請求項１〜７のいずれか一項に記載の閉鎖ストラップ。
【請求項９】
前記ストリップ部分（１０）は、略第円形状の断面を有することを特徴とする、請求項１〜８のいずれか一項に記載の閉鎖ストラップ。
【請求項１０】
前記ストリップ部分（１０）と前記挿入端部（１４）は異なる断面形状を有することを特徴とする、請求項１〜９のいずれか一項に記載の閉鎖ストラップ。
【発明の詳細な説明】
【技術分野】
【０００１】
本願発明は、本願の請求項１に記載の、バック状の形態又は管状の形態、特にソーセージなどのソーセージ状の製品を有するパッケージを閉鎖するための閉鎖ストリップに関する。
【背景技術】
【０００２】
特に、本願発明は、バック状の形態又は管状の形態、特にソーセージなどのソーセージ状の製品を有するパッケージを閉鎖するための閉鎖ストリップに関する。閉鎖ストラップは、ストラップ体を備えており、前記ストラップ体は、第１の端部及び第２の端部を有する細長いストリップ部分と、第１の端部及び第２の端部並びに挿入チャンネルを有する挿入部分とを含んでおり、前記挿入部分の前記第２の端部は、前記ストリップ部分の前記第１の端部と接続されている。前記ストリップ部分の前記第２の端部は、挿入方向において前記挿入部分の前記挿入チャンネル内に挿入されるための挿入端部を形成する。
【０００３】
実際には、ケース材料又はバッグ材料を集めて、ネック部分を形成し、閉鎖ストラップなどの閉鎖手段を前記ネック部分に適用することによって、管状の形態又はバッグ状の形態を有する閉鎖パッケージは周知である。
【０００４】
バッグ及び同様のものを閉鎖するためのこの種類の閉鎖ストラップは、特許文献１に開示されている。この周知な閉鎖は、平坦な本体を備えており、前記平坦な本体は、その一方の端部に略円形状の部分と、円形状部分に連結された細長いバンド部分であって、平坦な本体の第２の端部まで延在する細長いバンド部分と、を有する。閉鎖ストラップの円形状の部分は、細長いバンド部分の延在に対して垂直方向に延在するスロットを備える。歯は、横断方向に位置合わせされた複数のショルダーを形成し、前記ショルダーは、前記複数のショルダーの間に設けられた長手方向のスロットを有するバンド部分の長手方向の縁部で設けられる。バッグを閉鎖するために、閉鎖ストラップは、前記バッグの集められたネック部分を取り囲む。細長いバンド部分の自由端部は、円形状の部分のスロット内に挿入される。円形状の部分における断面形状は、バンド部分の断面形状と一致する。スロットを通じてバンド部分を引っ張ることによって、歯がスロットを通過し、それによって、それらは、バンド部分における細長いスロットの幅について一緒に押し出される。スロットを通過した後、歯は、その以前の位置に戻って広げ、円形状の部分の両側を係合し、それによってその閉構成において閉鎖ストラップを保持する。
【０００５】
この周知な閉鎖ストラップは、比較的広い幅を有する略平坦な構成であり、それによって、それに応じて、比較的長いネック部分は、閉鎖されるべきバッグに形成されなければならず、前記閉鎖ストラップによって提供された閉鎖力が前記長いネック部分に作用しなければならない。バッグの高信頼性の閉鎖保管を保証するために、比較的大きな力は、前記閉鎖ストラップによって提供されなければならない。さらに、前記閉鎖ストラップの両端、特に鋭い縁部を有する長手方向のバンド部分の自由端部は、閉鎖されたバッグから延在する。比較的強いストラップ材料の場合において、前記ストラップに隣接して位置付けられた他のバッグは、傷つきやすい材料から製造される場合に、及び／又はきつく充填される場合に、損傷される場合がある。
【先行技術文献】
【特許文献】
【０００６】
【特許文献１】米国特許出願第３，１１４，１８４号明細書
【発明の概要】
【発明が解決しようとする課題】
【０００７】
それ故に、本願発明の目的は、上記の欠点が克服されることができ、管状のパッケージ又はバッグ状のパッケージの高信頼性の閉鎖保管が多くの空間を必要とせずに保証される、閉鎖ストラップを提供することである。
【課題を解決するための手段】
【０００８】
上記の目的は、独立請求項１の特徴によって達成される。独創的な閉鎖ストラップの有利な構成は、請求項２〜１１に記載される。
【０００９】
本願発明によれば、バッグ状の形態又は管状の形態を有するパッケージを閉鎖するための閉鎖ストラップであって、特にソーセージ状のパッケージを閉鎖するための閉鎖ストラップが提供される。前記閉鎖ストラップはストラップ体を備えており、前記ストラップ体は、第１の端部及び第２の端部を有する細長いストリップ部分と、第１の端部及び第２の端部並びに挿入チャンネルを有する挿入部分とを含んでいる。前記挿入部分の前記第２の端部は、前記ストリップ部分の前記第１の端部と接続されており、前記ストリップ部分の前記第２の端部は、挿入方向において前記挿入部分の前記挿入チャンネル内に挿入されるための挿入端部を形成する。
【００１０】
独創的な構成において、ストリップ部分の挿入端部及び挿入チャンネルの両方は、互いに対応する略丸い断面形状を有する。この構成において、閉鎖ストラップと管状のパッケージ又はバッグ状のパッケージのネック部分との間の接触領域は、集められたネック部分を取り囲むラインに対しておおよそ制限される。それによって、前記パッケージを安全で高い信頼性で閉鎖するための閉鎖力は、減少される場合があり、傷つきやすいパッケージ材料の場合において、管状のパッケージ又はバッグ状のパッケージに対する損傷は避けられる。
【００１１】
閉鎖ストラップのさらなる有利な構成において、挿入部分の第２の端部は、湾曲部分によってストリップ部分の第１の端部に接続される。挿入部分及びストリップ部分はそれによって、湾曲部を形成する。前記湾曲部は、閉鎖ストリップが、閉鎖されるべき管状のパッケージ又はバッグ状のパッケージのネック部分をより正確に取り囲むことを可能にする。
【００１２】
挿入ストリップを挿入部分内に挿入するための挿入チャンネルは、様々な方向で挿入部分に配置されることができる。本願発明の一の実施形態によれば、挿入チャンネルは、挿入部分の第１の端部と第２の端部との間に延在する。それによって、使用される場合に、前記挿入チャンネルは、閉鎖されるべきパッケージのネック部分の周りの周囲方向で位置合わせされる。挿入部分を通じて延在する挿入ストリップであって、その閉構成において閉鎖ストラップから突出する挿入ストリップはまた、閉じたパッケージのネック部分の周りの周囲方向で位置合わせされる。それによって、前記挿入ストリップによる他のパッケージの損傷は、避けられる。
【００１３】
独創的な閉鎖ストラップの挿入部分は、その第１の端部に位置付けられた第１の表面を含む。前記第１の表面は、閉鎖ストラップの端面を形成する。この実施形態において、挿入チャンネルの一方の端部は、挿入部分の第１の表面と一致させる。それは、挿入チャンネルが前記端面で開始され、それによって、挿入チャンネルの周囲の方向付けを容易にし、それ故に、ストリップ部分の各方向付けを容易にすることを意味する。
【００１４】
閉鎖ストラップの好ましい実施形態において、挿入チャンネルは、閉鎖ストラップの内側表面で終端する、又は開いている。閉鎖ストラップの閉構成において、ストリップ部分の第２の端部又は挿入端部は、挿入チャンネルの外に自由に出ることができ、閉鎖すべきパッケージのネック部分に向けて閉鎖ストラップの内側に延在することができる。それ故に、ストリップ部分による他のパッケージの損傷、特に挿入端部による他のパッケージの損傷は省かれ、閉鎖ストラップの内側のさらなるストリップ材料に起因して閉鎖力は増加する。
【００１５】
独創的な閉鎖ストラップのさらなる有利な実施形態において、ストリップ部分の挿入端部は、湾曲部分の内半径を噛み合う外側端部の半径を有する。それによって、閉鎖ストリップの規定した内径は、その閉構成となる場合に提供される。さらに、噛み合う半径は、閉鎖ストラップの内側のパッケージ材料が挿入端部によって損害を与えられることから防止する。
【００１６】
前記閉鎖ストリップの閉鎖保管を保証するために、ストリップ部分は、その閉構成において、閉鎖ストリップを保持するために、その外側表面で、その挿入端部の領域において少なくとも複数のノッチを備える。
【００１７】
閉鎖ストラップの閉鎖保管を高めるために、複数のカウンターノッチは、挿入チャンネルの内側表面に設けられる。前記カウンターノッチは、ストラップをその閉構成で保持するために、及び各閉鎖力を維持するために、ストリップ部分の挿入端部の領域に設けられたノッチと係合する。カウンターノッチは、挿入部分内に組み込まれた切断部又は凹部によって設けられる場合がある。
【００１８】
閉鎖ストラップの断面、特にストリップ部分の断面は、任意の適切な形態を有することができる。有利な構成において、ストリップ部分は、管状のパッケージ又はバッグ状のパッケージのネック部分と、ネック部分を取り囲む閉鎖ストラップとの間で直線状の接触領域を形成するための略楕円形状の断面を有する。ストリップ部分及び挿入端部が、例えば、湾曲部分の半径及び挿入端部の半径を噛み合わせる（mating）ことを提供するために、異なる断面を有することができることは、理解されなければならない。
【００１９】
さらなる利点及び好ましい実施形態は、以下に記載された図面と一緒に以下に記載されるであろう。以下の説明で使用される「左」、「右」、「下」、及び「上」との表現は、位置合わせにおいて図面に言及されており、それによって、使用される参照符号は、正常に読み取ることができる。
【図面の簡単な説明】
【００２０】
【図１】開構成における本願発明による閉鎖ストラップの断面図の概略図である。
【図２】矢印Ａの閉鎖方向から見た、図１の閉鎖ストラップの概略図である。
【図３】その閉構成における図１の閉鎖ストラップの概略図である。
【発明を実施するための形態】
【００２１】
図１は、閉鎖ストラップ１の主拡張平面における開構成において、本願発明による閉鎖ストラップ１の実施形態の断面図の概略図を示す。閉鎖ストラップ１はストラップ体Ｂを有しており、ストラップ体Ｂは、図１の開位置と図３に示された閉位置との間で弾性的に移動可能である細長く湾曲したストリップ部分１０と、実質的に直線状に延在する挿入部分２０とを含む。ストリップ部分１０は、鎖線で示された第１の端部１２と、第２の端部１４とを有する。挿入部分２０は、第１の端部２２と、同様に鎖線で示された第２の端部２４とを有する。ストリップ部分１０及び挿入部分２０は、直接的に接続されることができる。図１〜図３による本願発明の実施形態において、ストリップ部分１０及び挿入部分２０は、湾曲部分３０によって接続される。湾曲部分３０は、ストリップ部分１０と挿入部分２０との間に配置されており、ストリップ部分１０は、湾曲部分３０の曲率を続けるが、好ましくは、閉鎖ストラップ１の開構成において異なる半径を有する。ストリップ部分１０、挿入部分２０、及び湾曲部分３０は、ストラップ体Ｂを形成するために一体的に形成される。さらに、湾曲部分３０は、ストリップ部分１０の第１の端部１２を、同様に鎖線で描かれた挿入部分２０の第２の端部２４に接続する。図１の実施形態によれば、ストリップ部分１０の第２の端部から始まるストラップ体Ｂの半径は、半径Ｒ１からストリップ部分１０の第１の端部１２の領域における半径Ｒ２を介して、湾曲部分３０の内半径である半径Ｒ３に変化する。半径Ｒ１は、その第２の端部１４から始まるストリップ部分１０の大部分に亘って一定である。半径Ｒ１より小さい第１の端部１２までストリップ部分１０の残りの部分の半径Ｒ２に続き、最終的に、半径Ｒ２より小さい湾曲部分３０の半径Ｒ３に続く。
【００２２】
図１に見られるように、ストリップ部分１０の第２の端部１４は、その自由先端部に向けてテーパーが付けられており、そのテーパーは、傾斜した外側表面によって形成される。ストリップ部分１０の第１の端部１２に向けた方向であって、テーパー付きの第２の端部１４に続く方向において、複数のノッチ１６がストリップ部分１０の外側表面に設けられる。図１によれば、複数のノッチ１６は、ストリップ部分１０から略垂直方向に延在する前記複数のノッチ１６に対する略矩形状の断面を形成する平行なフランジ又は側面を有する。複数のノッチ１６は、ストリップ部分１０の外側表面から一定の間隔におけるストリップ材料を部分的に除外することによって形成される。前記複数のノッチ１６が、ストリップ部分１０の外側表面上に一定の間隔で追加的な材料を配置することによって形成される場合があることは、理解されなければならない。複数のノッチ１６は、閉鎖ストラップ１を製造することによって、例えば、各プラスチック材料を鋳造することによって、一体的に形成される。第１の端部１２と第２の端部１４との間には、テーパー付き端部を除いてストリップ部分１０は少なくとも略一定の断面を有しており、図１〜３の実施形態によれば、該少なくとも略一定の断面は、図３で断面Ｃによって示されるように少なくとも略円形である。
【００２３】
図２は、矢印Ａの挿入方向において見られる、図１の閉鎖ストラップの概略図である。図２に見られるように、第２の端部又は挿入端部１４はまた、その側面においてテーパーが付けられる。それによって、テーパー付きの第２の端部１４は、略円錐形状を有する。
【００２４】
図１にさらに見られるように、挿入部分２０には、挿入チャンネル４０が設けられる。挿入チャンネル４０は、挿入部分２０の第１の端部２２と第２の端部２４との間に延在する。挿入チャンネル４０は、第１の開口部４２又は挿入開口部４２を有し、挿入部分２０の第１の端部２２で開始する。第１の開口部４２又は挿入開口部４２は、挿入部分２０の第２の端部２４に対して反対側の挿入部分２０の挿入面又は第１の面を形成する。挿入チャンネル４０は、挿入部分２０の第２の端部２４で配置された出口開口部４４内で終端する。出口開口部４４は、閉鎖ストラップ１の内側に向けられており、そのことは、閉鎖ストラップ１によって閉鎖されるように、出口開口部４４が管状又はバッグ状のパッケージのネック部分に向けて方向付けられることを意味する。ストリップ部分１０の挿入、特に挿入端部を形成する第１の端部１４の挿入を容易にするために、挿入チャンネル４０の挿入開口部４２は、漏斗形状の断面を有する。挿入チャンネル４０の断面がストリップ部分１０の断面に対応することは、理解されなければならない。本願発明において、挿入チャンネル４０は、略円形状の断面を有する。
【００２５】
挿入部分２０は、その第１の端部２２からその第２の端部２４に向けてテーパーが付けられた略矩形状の断面を有し、平行な側面及び平坦な外側表面を含む。閉鎖ストラップ１が閉構成になる場合に、閉鎖されるべきパッケージのネック部分に面する挿入部分２０の内側表面は、閉鎖したパッケージのネック部分に対する接触を増加させるために湾曲される。
【００２６】
図１に示されるように、複数のカウンターノッチ２６は、挿入部２０の外側及び同時に挿入チャンネル４０の内側に設けられている。複数のカウンターノッチ２６を形成するために、切断部又は凹部は、挿入部分２０内に組み込まれる。前記切断部又は凹部は、挿入部分２０の外側表面から前記挿入チャンネル４０に向けて延在しており、前記挿入チャンネル４０で終端する。２つの連続するカウンターノッチ２６の間の間隙は、ストリップ部分１０の外側表面に設けられた２つの連続するノッチ２６の間の距離と一致する。さらに、カウンターノッチ２６の数は、ストリップ部分１０のノッチ１６の数に少なくとも等しい。例えば、パッケージ材料に応じて、及び／又は、充填されたパッケージの直径に応じて、閉鎖されるべきパッケージのネック部分の異なる直径に適合可能である閉鎖ストラップのために、ノッチ１６の数は、挿入部分２０に設けられたカウンターノッチ２６の数を超えてもよい。
【００２７】
図１にさらに見られるように、閉鎖ストラップ１の内側に面する挿入チャンネル４０の内側表面の区画は、その中央領域において、挿入チャンネル４０の断面を減少させる方法で湾曲される。挿入チャンネル４０の直径におけるこの減少は、閉鎖ストリップ１がその閉構成である場合にカウンターノッチ２６内のノッチ１６の係合を高める。
【００２８】
特にその規定された位置において閉鎖ストラップ１を保持するための、容易な扱いを可能にするために、ラグ４８は、挿入部分２０に形成されており、その外側から第１の表面２２の平面において延在している。ラグ４８は、充填装置において閉鎖ストラップ１を位置付けるように使用されてもよい。それによって、前記充填装置において、閉鎖ストラップ１の機械的な閉鎖又は自動的な閉鎖を可能にする。
【００２９】
図１〜図３に示される閉鎖ストラップ１の実施形態によれば、ストリップ部分１０は、湾曲部分３０によって挿入部分２０に連結される。特に、ストリップ部分１０の第１の端部１２は、湾曲部分３０によって挿入部分２０の第２の端部２４に連結される。ストリップ部分の第１の端部１２の断面は少なくとも略円形状であるのに対して、挿入部分２０の第２の端部２４の断面は略矩形状である。それに応じて、湾曲部分３０は一定ではない断面を有しており、該一定ではない断面は、ストリップ部分１０の第１の端部１２が取り付けられる一方の端部における円形状から、挿入部分２０の第２の端部２４の断面に一致し、該第２の端部２４に接続されるその他方の端部における略矩形状に変化する。
【００３０】
図３は、その閉構成における閉鎖ストラップ１を示す。ストリップ部分１０は、挿入部分２０の挿入チャンネル４０内に挿入される。ストリップ部分１０は、挿入チャンネル４０を通じて延在し、それによって、ストリップ部分１０の挿入端部１４は、閉鎖ストラップ１の内側に出口開口部４４を通じて挿入部分２０から突出する。その閉構成にある場合に、出口開口部４４を通じて閉鎖ストラップ１に延在しているストリップ部分１０の長さ、特に挿入端部１４の長さが、閉鎖されるべきパッケージのネック部分の直径に応じていることは、理解されなければならない。それ故に、ネック部分の大きな直径の場合において、ストリップ部分１０の挿入端部１４は、挿入チャンネル４０の出口開口部４４を通じて必ずしも延在する必要はない。
【００３１】
特に図３にさらに見られるように、挿入端部１４は、テーパー付きの挿入端部１４の傾斜した外側表面によって形成された外半径１４ａを有する。挿入端部１４の外半径１４ａは、湾曲部分３０の内半径Ｒ３に少なくともおおよそ対応する。
【００３２】
管状のパッケージ又はバック状のパッケージは、例えばソーセージなどのソーセージ状の製品を形成するために使用される。それによって、ソーセージ肉などの充填材料は、閉鎖ストラップなどの閉鎖手段によって閉じられる前記管状パッケージ又はバック状のパッケージ内に供給される。管状パッケージ又はバッグ状パッケージを閉じるために、ネック部分は、充填されたパッケージの少なくとも１つの開口端部に形成される。閉鎖ストラップ１は、ネック部分でその内側とともに位置付けられる、例えば、ラグ４８によって保持される。そして、挿入端部１４は、挿入方向Ａにおいて挿入チャンネル４０内に案内され、それによって、閉鎖ストラップ１は、管状パッケージ又はバッグ状パッケージのネック部分を取り囲むリングを形成する。ストリップ部分１０は、挿入方向Ａにおいて挿入チャンネル４０内にさらに押し込まれ、リング状の閉鎖ストラップ１の直径を減少させ、閉鎖力をネック部分に提供する。それによって、ストリップ部分１０のノッチ１６は、挿入部分２０におけるカウンターノッチ２６と係合し、管状パッケージ又はバッグ状パッケージのネック部分でその閉構成において閉鎖ストリップ１を保持する。その場合において、独創的な閉鎖ストラップ１の材料の弾性特性は、ストリップ部分１０の挿入端部１４を外側に強制させる(force)との事実に起因してカウンターノッチ２６とノッチ１６の噛み合いを強化する。それ故に、閉鎖力は維持され、閉鎖ストラップ１が開かれるのを防止する。それによって、閉鎖ストラップ１の元に戻せない閉鎖は到達される。しかし、少なくとも、自動開放又は偶然の開放は妨げられる。
【００３３】
閉鎖ストラップ１を閉鎖することによって、ストリップ部分１０の自由端部又は挿入端部１４は、出口開口４４を通じて閉鎖したストラップ１内に延在する。さらなるストラップ材料は、外径に対する内径の減少を加速させ、それによって、閉鎖力は、不均衡に増加する。
【００３４】
管状のパッケージを閉鎖するために、管状パッケージ材料の両端は、本願発明による閉鎖ストラップによって閉鎖されてもよく、初めに管状パッケージ材料の第１の端部を閉鎖し、パッケージが充填された後で、管状パッケージ材料の第２の端部を閉鎖することは理解されなければならない。
【００３５】
図１と併せて開示されるような挿入チャンネル４０は、本願発明による閉鎖ストラップの一の実施形態のみである。挿入チャンネル４０が他の適切な形態を有することができること、例えば、挿入チャンネル４０が円形状以外の断面形状、例えば、楕円形状又は矩形形状を有することができることは、理解されなければならない。挿入チャンネル４０にとって、閉構成である場合に、ストリップ部分１０の挿入端部１４を閉鎖ストラップ１の内側に案内するために、閉鎖ストラップ１の内側で終端することは重要である。
【００３６】
挿入チャンネル４０が円形状以外の断面形状を有する場合において、当然ながらストリップ部分１０は、挿入チャンネル４０の断面形状に対応する断面形状を有する。
【００３７】
閉鎖ストラップ１は、適切なプラスチック材料などの変形可能な材料及び／又は弾性材料、及び同様のものから製造される。
【符号の説明】
【００３８】
１  閉鎖ストラップ
１０  ストリップ部分
１２  第１の端部
１４  第２の端部
１４ａ  外半径
１６  ノッチ
２０  挿入部分
２２  第１の表面
２４  第２の部分
２６  カウンターノッチ
３０  湾曲部分
３２  内半径
４０  挿入チャンネル
４２  第１の開口部、挿入開口部
４４  出口開口部
Ｂ  ストラップ体
Ｒ１  半径
Ｒ２  半径
Ｒ３  半径
【図１】
0005775213.tif 000002
【図２】
0005775213.tif 000003
【図３】
0005775213.tif 000004